(57)【要約】【課題】タブの挿入力を低減する。【解決手段】本体部１１内には、撓み可能なバネ片２１と操作片２８とが互いに隣接して配置されている。操作片２８は、支点部３１、力点部３３及び作用部３５を有する。本体部１１内にタブ６１が挿入される過程では、タブ６１が力点部３３に当接するとともに、操作片２８が支点部３１を中心として傾倒し、その傾倒動作に伴って作用部３５がバネ片２１を押圧することで、タブ６１がバネ片２１と非接触状態に保たれる。本体部１１内にタブ６１が正規挿入されると、力点部３３がタブ６１の凹部６３内に進入するとともに、操作片２８が元の状態に復帰する向きに変位し、その変位動作に伴って作用部３５がバネ片２１への押圧状態を解除することで、タブ６１がバネ片２１と接触する。【選択図】図２
2011150925.tif 000002
【特許請求の範囲】
【請求項１】
互いに接続可能な雌雄一対の端子からなり、このうち、雄端子は、タブを有し、前記タブの外面には、凹部が形成され、
雌端子は、前記タブが挿入される筒状の本体部を有し、前記本体部内には、撓み可能なバネ片が配置されているとともに、前記バネ片と隣接して操作片が配置され、かつ、前記操作片が、支点部、力点部及び作用部を有するものとされ、
前記本体部内に前記タブが挿入される過程では、前記タブが前記力点部に当接するとともに、前記操作片が前記支点部を中心として傾倒し、その傾倒動作に伴って前記作用部が前記バネ片を押圧することで、前記タブが前記バネ片と非接触状態に保たれ、
前記本体部内に前記タブが正規挿入されたときには、前記力点部が前記凹部内に進入するとともに、前記操作片が元の状態に復帰する向きに変位し、その変位動作に伴って前記作用部が前記バネ片への押圧状態を解除することで、前記タブが前記バネ片と接触するように構成されていることを特徴とする端子金具。
【請求項２】
前記操作片が、前記支点部から前記力点部にかけて、前記タブの挿入経路側へせり上がる部分を有している請求項１記載の端子金具。
【請求項３】
前記バネ片の側縁に突部が形成され、前記作用部が前記突部と当接するフック状の形態とされている請求項１又は２記載の端子金具。
【発明の詳細な説明】
【技術分野】
【０００１】
本発明は、端子金具に関する。
【背景技術】
【０００２】
特許文献１には、従来の端子金具が開示されている。このものは、互いに接続可能な雌雄一対の端子によって構成されている。雄端子は、タブを有している。雌端子は、筒状の本体部を有している。本体部内には、撓み可能なバネ片が配置されている。バネ片は、本体部の前端から後方へ折り返され、その上面に、エンボス部が突出して形成されている。本体部の天井壁には、エンボス部と対向する位置に、受け部が叩き出して形成されている。
【０００３】
本体部内にタブが挿入されると、タブがエンボス部を摺動して、バネ片が下方へ撓み変形させられる。本体部内にタブが正規挿入されると、タブがエンボス部と受け部との間に弾性的に挟持させられ、これにより、両端子が電気的に接続される。
【先行技術文献】
【特許文献】
【０００４】
【特許文献１】特開２００８−２１０７５５号公報
【発明の概要】
【発明が解決しようとする課題】
【０００５】
ところで、上記従来の端子金具においては、タブが、本体部内に挿入される過程でエンボス部と接触するのを余儀なくされた。このため、タブとエンボス部との間で摩擦抵抗が発生し、本体部内に挿入されるタブの挿入力が増加する一因になっていた。
【０００６】
本発明は上記のような事情に基づいて完成されたものであって、タブの挿入力を低減することを目的とする。
【課題を解決するための手段】
【０００７】
上記の目的を達成するための手段として、請求項１の発明は、互いに接続可能な雌雄一対の端子からなり、このうち、雄端子は、タブを有し、前記タブの外面には、凹部が形成され、雌端子は、前記タブが挿入される筒状の本体部を有し、前記本体部内には、撓み可能なバネ片が配置されているとともに、前記バネ片と隣接して操作片が配置され、かつ、前記操作片が、支点部、力点部及び作用部を有するものとされ、前記本体部内に前記タブが挿入される過程では、前記タブが前記力点部に当接するとともに、前記操作片が前記支点部を中心として傾倒し、その傾倒動作に伴って前記作用部が前記バネ片を押圧することで、前記タブが前記バネ片と非接触状態に保たれ、前記本体部内に前記タブが正規挿入されたときには、前記力点部が前記凹部内に進入するとともに、前記操作片が元の状態に復帰する向きに変位し、その変位動作に伴って前記作用部が前記バネ片への押圧状態を解除することで、前記タブが前記バネ片と接触するように構成されているところに特徴を有する。
【０００８】
請求項２の発明は、請求項１に記載のものにおいて、前記操作片が、前記支点部から前記力点部にかけて、前記タブの挿入経路側へせり上がる部分を有しているところに特徴を有する。
【０００９】
請求項３の発明は、請求項１又は２に記載のものにおいて、前記バネ片の側縁に突部が形成され、前記作用部が前記突部と当接するフック状の形態とされているところに特徴を有する。
【発明の効果】
【００１０】
＜請求項１の発明＞
本体部内にタブが挿入される過程では、タブが力点部に当接するとともに、操作片が支点部を中心として傾倒し、その傾倒動作に伴って作用部がバネ片を押圧することで、タブがバネ片と非接触状態に保たれるから、タブの挿入力が低減される。また、本体部内にタブが正規挿入されると、力点部が凹部内に進入するとともに、操作片が元の状態に復帰する向きに変位し、その変位動作に伴って作用部がバネ片への押圧状態を解除することで、タブがバネ片と接触するから、両端子の接続状態が確実に確保される。
【００１１】
＜請求項２の発明＞
操作片が支点部から力点部にかけてタブの挿入経路側へせり上がる部分を有しているから、力点部へのタブの当接動作と操作片の傾倒動作を容易に連動させることができる。
【００１２】
＜請求項３の発明＞
バネ片の側縁に突部が形成され、作用部が突部と当接するフック状の形態とされているから、突部を介して作用部のバネ片への押圧動作が良好になされる。
【図面の簡単な説明】
【００１３】
【図１】本発明の実施形態１に係る端子金具において、雌雄の両端子の接続動作が開始された直後の状態を示す図である。
【図２】雌雄の両端子の接続過程の状態を示す図である。
【図３】雌雄の両端子が正規接続された状態を示す図である。
【図４】雌雄の両端子の離脱過程の状態を示す図である。
【発明を実施するための形態】
【００１４】
＜実施形態１＞
本発明の実施形態１を図１ないし図４によって説明する。実施形態１に係る端子金具は、導電性の金属板を曲げ加工等して一体に成形され、雌雄一対の端子１０、６０によって構成されている。両端子１０、６０は、それぞれ対応するコネクタ（図示せず）に収容され、両コネクタの嵌合に伴い、互いに接続されるようになっている。
【００１５】
雄端子６０は、帯板状をなして、前後方向に細長く延びるタブ６１を有する。タブ６１の先端部には、先窄み状のテーパ部６２が全周に亘って形成されている。また、タブ６１の下面には、テーパ部６２よりも後方に、有底の凹部６３が開口して形成されている。凹部６３の内壁前面は、底面から開口縁へ向けて前方に傾斜する斜面６４となっている。
【００１６】
雌端子１０は、本体部１１と、本体部１１の後方に連なる連結部１２と、連結部１２の後方に連なるバレル部１３とを有している。バレル部１３は、オープンバレル状をなし、電線９０の端末部にかしめ付けして接続されている。
【００１７】
本体部１１は、ほぼ角筒状をなし、基壁１４、左右の側壁１５、及び天井壁１６を有している。本体部１１の前面はタブ６１の挿入口１７として開口され、挿入口１７を通して本体部１１内にタブ６１が挿入されるようになっている。連結部１２は、両側壁１５の下半部と基壁１４とに連結されることによって断面Ｕ字状をなしている。天井壁１６は、二重板構造とされ、その下板部分に、受け部１８が下方へ叩き出して形成されている。受け部１８は、ほぼ台形状をなし、前後方向に延出する形状とされている。基壁１４には、片状のスタビライザ１９が下方へ切り起こして形成されている。スタビライザ１９は、雌端子１０のコネクタ内への挿入動作を案内するとともに、コネクタへの誤挿入を規制する役割をもっている。
【００１８】
本体部１１内には、撓み可能なバネ片２１が配置されている。バネ片２１は、基壁１４の前縁に一体に連結されつつ、基壁１４の前縁から後方へ折り返されて全体として山型をなしている。バネ片２１の頂部には、ドーム状のエンボス部２２が上方へ叩き出して形成されている。本体部１１内におけるエンボス部２２と受け部１８との間には、タブ６１の挿入空間２３が、挿入口１７から後方に形成されている。バネ片２１の前端部における折り返し部分は、基壁１４の両側縁部と両側壁１５の下縁部との間に形成された切り込みによって、本体部１１内に入り込んだ状態となっている。バネ片２１の後端部には、基壁１４の内壁上面に当接する当接部２４が形成され、さらに当接部２４から後端にかけて跳ね上げ部２５が形成されている。かかるバネ片２１は、その前縁を支点として撓み変形させられ、撓み状態ではその前縁と当接部２４とで実質的に両持ち状に支持される。
【００１９】
バネ片２１の両側縁には、左右一対の分岐片２６が、頂部から前下がりに分岐して形成されている。両分岐片２６の下端部の外側縁には、ピン状の突部２７が側方へ突出して形成されている。
【００２０】
また、本体部１１内には、バネ片２１を挟んだ両側に、左右一対の操作片２８が、バネ片２１と隣接して並列に配置されている。操作片２８は、全体としてほぼＶ字状をなし、基壁１４の両側縁に連なる支点部３１と、自然状態において支点部３１から上方へ略垂直に立ち上がる第１延出部３２と、第１延出部３２の上端部を構成する力点部３３と、自然状態において支点部３１からやや後方へ傾きながら立ち上がる第２延出部３４と、第２延出部３４の上端部を構成するフック状、詳細にはほぼ半円弧状の作用部３５とによって一体に形成されている。第１延出部３２は、第２延出部３４よりも長くされている。力点部３３は、作用部３５よりも高い位置に配され、タブ６１の挿入空間２３に臨んでいる。また、作用部３５は、突部２７に引っ掛け可能な高さ位置に配され、常には突部２７に上方から当接している。かかる操作片２８は、支点部３１を中心として傾倒可能とされ、かつ支点部３１の弾性復元力によって傾倒状態から元の状態に復帰可能とされている。
【００２１】
次に、実施形態１に係る端子金具の接続・離脱動作を説明する。
両コネクタの嵌合が開始されると、図１に示すように、本体部１１の挿入空間２３にタブ６１の先端部が挿入される。タブ６１の挿入動作が進むと、タブ６１のテーパ部６２が力点部３３と当接し、タブ６１からの押圧力により第１、第２延出部３２、３４が後方へ押し倒されるようにして、操作片２８が支点部３１を中心として後方へ傾倒させられる。かかる操作片２８の傾倒動作に伴い、作用部３５が突部２７を下方へ押圧し、その押圧力によって分岐片２６ひいてはバネ片２１が下方へ強制的に撓み変形させられる。これにより、エンボス部２２が下降し、タブ６１の挿入空間２３が広がる。さらにタブ６１が挿入されると、図２に示すように、力点部３３がタブ６１の下面を摺動して、バネ片２１の撓み状態が保たれるとともに、タブ６１の先端部が、エンボス部２２に接触することなく、エンボス部２２の上方を通過する。この間、タブ６１の上面は受け部１８の下面を摺動している。
【００２２】
両コネクタが正規嵌合されて、本体部１１内にタブ６１が正規挿入されると、図３に示すように、力点部３３が凹部６３内に嵌り、タブ６１から力点部３３への押圧状態が解除される。すると、支点部３１の弾性復元力によって操作片２８が元の状態に復帰する向きに変位し、その変位動作に伴って、第１、第２延出部３２、３４が起立するとともに、作用部３５から突部２７への押圧状態も解除される。同時に、バネ片２１が元の状態に復元する向きに弾性変位して、エンボス部２２がタブ６１の下面に当接する。こうして、タブ６１がエンボス部２２と受け部１８との間に弾性的に挟持させられ、両端子１０、６０が導通可能に接続される。この場合、エンボス部２２は、タブ６１の下面のうち力点部３３が摺動した領域に当接するようになっている。このため、仮に、タブ６１の下面に酸化皮膜等が形成されていても、力点部３３の摺動作用によって酸化皮膜等がワイピングにより除去されて、両端子１０、６０の接続信頼性が高められる。
【００２３】
一方、両コネクタを離脱方向に引っ張ると、タブ６１が本体部１１から抜け出る向きに後退し、その後退動作に伴って、力点部３３が凹部６３の斜面６４を摺動するとともに、第１、第２延出部３２、３４が前方へ押し倒されるようにして、操作片２８が支点部３１を中心として前方へ傾倒させられる。さらに、図４に示すように、力点部３３が凹部６３から抜け出てタブ６１の下面を摺動する。こうして両コネクタが引き離されると、両端子１０、６０の接続状態が自ずと解除されるようになっている。
【００２４】
以上説明したように、本実施形態によれば、本体部１１内にタブ６１が挿入される過程では、タブ６１が力点部３３に当接するとともに、操作片２８が支点部３１を中心として傾倒し、その傾倒動作に伴って作用部３５がバネ片２１を押圧することで、タブ６１がバネ片２１と非接触状態に保たれるから、操作片２８のてこ作用により、タブ６１の挿入力が低減される。また、本体部１１内にタブ６１が正規挿入されると、力点部３３が凹部６３内に進入するとともに、操作片２８が元の状態に復帰する向きに変位し、その変位動作に伴って作用部３５がバネ片２１への押圧状態を解除することで、タブ６１がバネ片２１と接触するため、両端子１０、６０の接続状態が確実に確保される。
【００２５】
また、操作片２８が支点部３１から力点部３３にかけてタブ６１の挿入空間２３側へせり上がる部分を有しているから、力点部３３へのタブ６１の当接動作と操作片２８の傾倒動作を容易に連動させることができる。
【００２６】
さらに、バネ片２１の両側縁に突部２７が形成され、作用部３５が当接部２４と当接するフック状の形態とされているから、突部２７を介して作用部３５のバネ片２１への押圧動作が良好になされる。
【００２７】
＜他の実施形態＞
本発明は上記記述及び図面によって説明した実施形態に限定されるものではなく、例えば次のような実施形態も本発明の技術的範囲に含まれる。
（１）バネ片が、本体部の後端部からタブの挿入口へ向けて片持ち状に延びる形態であってもよい。
（２）操作片が、支点部から片持ち状に突出する形態とされ、その先端部に力点部が形成され、その中間部に作用部が形成されるものであってもよい。
【符号の説明】
【００２８】
１０…雌端子
１１…本体部
２１…バネ片
２３…挿入空間（挿入経路）
２７…突部
２８…操作片
３１…支点部
３３…力点部
３５…作用部
６０…雄端子
６１…タブ
【図１】
2011150925.tif 000003
【図２】
2011150925.tif 000004
【図３】
2011150925.tif 000005
【図４】
2011150925.tif 000006